(57)【要約】【課題】質量の大きい物品を収納しても壁面収納体が前倒れすることなく、安定にかつ容易に壁面収納体を防音床に設置すること。【解決手段】裏面のクッション層２４を接触させて基礎床２２上に敷設された防音床２１の上に台板１が壁４１の際に載置され、台板に形成された挿入孔２とこの挿入孔に連通する防音床に形成された貫通孔とに支持脚４が台板側から挿入され、先端が基礎床に当接して支持脚が基礎床上に立設されるとともに台板を支持し、支持脚により支持された台板の上に壁面収納体が設置される。【選択図】図１
2007330631.tif 000002
【特許請求の範囲】
【請求項１】
裏面のクッション層を接触させて基礎床上に敷設された防音床の上に台板が壁際に載置され、台板に形成された挿入孔とこの挿入孔に連通する防音床に形成された貫通孔とに支持脚が台板側から挿入され、先端が基礎床に当接して支持脚が基礎床上に立設されるとともに台板を支持し、支持脚により支持された台板の上に壁面収納体が設置されることを特徴とする壁面収納体の設置構造。
【請求項２】
支持脚の挿入に先立って台板が防音床に固定される請求項１に記載の壁面収納体の設置構造。
【請求項３】
台板に形成された挿入孔にナットが埋設され、このナットに螺合するねじが支持脚の外周に切られ、螺着によって支持脚が台板に固定されることを特徴とする請求項１または２に記載の壁面収納体の設置構造。
【請求項４】
支持脚が穿孔能力を有し、ねじ込みによって挿入と同時に、台板に挿入孔を、防音床に貫通孔を穿設することを特徴とする請求項１または２に記載の壁面収納体の設置構造。
【発明の詳細な説明】
【技術分野】
【０００１】
本発明は、壁面収納体を防音床に設置するための壁面収納体の設置構造に関する。
【背景技術】
【０００２】
床から床下への固体振動の伝播を減衰し、遮音性を確保する防音床が知られている。たとえば図９に示したように、防音床２１は、コンクリートスラブや二重床の支持脚に支持された合板などの基礎床２２の上に敷設される。防音床２１の一般的な構造は、合板２３の裏面に不織布、発泡樹脂などの防振材から形成されたクッション層２４が貼着され、合板２３の表面に化粧板２５が貼着された積層構造となっている。裏面のクッション層２４を接触させて防音床２１は基礎床２２の上に敷設される。このような防音床２１では、化粧板２５および合板２３の固体振動をクッション層２４において減衰させ、基礎床２２に伝播するのを抑制する。
【０００３】
一方、部屋には、壁際に収納棚などの家具を設置し、壁面収納体として物品を収納することが広く行われている。図９に示したように、壁面収納体３１は、防音床２１が敷設された部屋にも壁４１の際に、背面を壁４１に当接または近接させて設置され、防音床２１に載置される。この場合、次のような問題があった。
【０００４】
たとえば図１０に示したように、質量の大きい物品Ｍを壁面収納体３１に収納すると、物品Ｍの大きな質量によってクッション層２４が圧縮され、防音床２１に沈み込みが生じる。壁４１の際には、一般に、防音床２１の沈み込みを防止するために沈み込み防止桟が設けられているが、それ以外に防音床２１の沈み込みを防止する手段が採られていないため、特に質量の大きい物品Ｍが壁面収納体３１の前側に収納される場合、壁面収納体３１の前側で防音床２１が沈み込むため、壁面収納体３１が前方に傾倒する前倒れが起こる。
【０００５】
このような前倒れを引き起こす防音床２１の沈み込みを解消するために、たとえば特許文献１には、合板の表面に化粧材を重層するとともに、裏面に防振材を層状に重層した床材において、先端が合板を貫通して表面に露出するねじ部材を防振材内に埋設し、ねじ部材に、化粧材の表面に沿って設けた家具固定具を係着し、家具の重量で防振材が圧縮されると、ねじ部材が床スラブに着座して重量を支え、床材が大きく沈下するのを防止することが記載されている。
【特許文献１】特開平４−３６０９５４号公報
【発明の開示】
【発明が解決しようとする課題】
【０００６】
しかしながら、特許文献１に記載された床材を用いて敷設した防音床において、家具は、家具固定具によって係止されるのであり、ねじ部材は家具の前方に配置される。このため、家具の重量は家具直下の床材にそのまま加わり、防振材の圧縮は避けられない。家具直下の床材の沈下は少なからず起こる。ねじ部材はそれに引き連れて起こる家具周辺の床材の大きな沈下を床スラブに着座して防ぐだけに過ぎない。これでは上記した壁面収納体３１の前倒れを抜本的に解決することはできない。
【０００７】
しかも、特許文献１に記載された床材では、比較的柔らかい防振材にねじ部材が埋設されているため、たとえ下端の断面積を上端より大きくしても、ねじ部材の取付強度は十分とは言えず、床スラブに着座してもぐらつくおそれがあり、安定に重量を支えることは難しい。さらに、床材にねじ部材を配設しているため、床材の製造に手間がかかるとともに、ねじ部材の取り付けのための工夫が必要とされる。
【０００８】
本発明は、以上の通りの事情に鑑みてなされたものであり、質量の大きい物品を収納しても壁面収納体が前倒れすることなく、安定にかつ容易に壁面収納体を防音床に設置することのできる壁面収納体の設置構造を提供することを課題としている。
【課題を解決するための手段】
【０００９】
本発明の壁面収納体の設置構造は、上記の課題を解決するために、以下のことを特徴としている。
【００１０】
第１に、裏面のクッション層を接触させて基礎床上に敷設された防音床の上に台板が壁際に載置され、台板に形成された挿入孔とこの挿入孔に連通する防音床に形成された貫通孔とに支持脚が台板側から挿入され、先端が基礎床に当接して支持脚が基礎床上に立設されるとともに台板を支持し、支持脚により支持された台板の上に壁面収納体が設置される。
【００１１】
第２に、上記において、支持脚の挿入に先立って台板が防音床に固定される。
【００１２】
第３に、上記において、台板に形成された挿入孔にナットが埋設され、このナットに螺合するねじが支持脚の外周に切られ、螺着によって支持脚が台板に固定される。
【００１３】
第４に、上記において、支持脚が穿孔能力を有し、ねじ込みによって挿入と同時に、台板に挿入孔を、防音床に貫通孔を穿設する。
【発明の効果】
【００１４】
上記第１の発明によれば、先端が基礎床に当接して支持脚が基礎床上に立設されるとともに台板を支持し、支持脚により支持された台板の上に壁面収納体が設置されるので、壁面収納体に質量の大きい物品が収納され、壁面収納体の前側に収納されても、台板が荷重を分散し、分散された荷重を支持脚によって支えることができるため、防音床の沈み込みを確実に防止することができる。壁面収納体の前倒れは起こらない。壁面収納体は防音床に安定に設置される。また、台板を防音床の上に載置し、台板に形成された挿入孔とこの挿入孔に連通する防音床に形成された貫通孔に支持脚を台板側から挿入することで、支持脚が基礎床上に立設され、支持脚により台板が支持されるので、壁面収納体の防音床への安定な設置を容易に実現することができる。
【００１５】
上記第２の発明によれば、上記の発明の効果に加え、台板が支持脚の挿入に先立って防音床に固定されるので、台板に形成された挿入孔と防音床に形成された貫通孔が位置ずれすることがなく、支持脚の挿入孔および貫通孔への挿入が容易となる。
【００１６】
上記第３の発明によれば、上記の発明の効果に加え、支持脚がその外周に切られたねじとナットとの螺着により台板に固定されるので、支持脚は安定に基礎床上に立設され、台板の支持が安定したものとなる。また、支持脚の基礎床上への立設と支持脚による台板の支持が容易となる。
【００１７】
上記第４の発明によれば、上記の発明の効果に加え、台板への挿入孔の形成および防音床への貫通孔の形成を支持脚の挿入と同時に行うことができ、支持脚の基礎床上の立設および支持脚による台板の支持が一層容易となる。
【発明を実施するための最良の形態】
【００１８】
図１、図２は、それぞれ、本発明の壁面収納体の設置構造の一実施形態の要部を示した一部切欠分解斜視図、分解断面図である。
【００１９】
本実施形態において図９および図１０に示した部分と共通する部分には同一の符号を付し、その説明を省略する。
【００２０】
図９および図１０に示した壁面収納体３１の横幅および奥行きに略等しい横幅および奥行きを有する横長板状の台板１が、壁４１の際において防音床２１の上に載置される。台板１には、短手方向の一端部に複数の挿入孔２が長手方向に等間隔で形成されている。台板１は、挿入孔２が形成された一端部と反対側の一端部を壁４１に対向させて防音床２１の上に載置される。壁４１に対向する一端部において台板１の側面は壁４１に当接または近接する。このような台板１には、合板、パーティクルボードなどの木質板材が使用可能である。
【００２１】
防音床２１には、図２に示したように、複数の貫通孔３が等間隔で横一列に形成されている。貫通孔３の位置は、台板１を防音床２１の上に載置した時に、台板１に形成された挿入孔２と連通する位置とされ、貫通孔３の数は、挿入孔２と同数とされている。貫通孔３は、防音床２１の表裏を貫通している。すなわち、表面の化粧板２５から合板２３を通って裏面のクッション層２４まで貫通している。貫通孔３は、たとえばドリルなどの穿孔工具によって形成することができ、孔径ｒは、後述する支持脚４の脚部４ａの外径Ｒより若干大きくされている。防音床２１の上に台板１が載置された状態においては、挿入孔２が貫通孔３と同心状に配置され、両者は連通する。
【００２２】
台板１の挿入孔２にはナット５が埋設されている。ナット５には、一般に鬼目ナットと呼ばれるものが用いられる。鬼目ナットは、台板１の挿入孔２に圧入することができ、埋設が容易である。支持脚４の脚部４ａには、ナット５に螺合するねじが外周に切られている。このような支持脚４には、たとえばボルトなどを使用することができる。
【００２３】
防音床２１の上に載置された台板１は、挿入孔２が貫通孔３から位置ずれすることのないように、木ねじなどの固着具６によって防音床２１に固定することができる。この場合、固着具６は、図３に示したように、固定強度を確保するために、防音床２１の木部、すなわち、合板２３まで達するようにし、クッション層２４には到達させない。クッション層２４にまで達することによる防振性の低減を防止してもいる。固着具６による固定位置は、図１に示したように、挿入孔２の間の壁４１側とその反対側とし、台板１の固定状態が安定に保持されるようにすることができる。
【００２４】
支持脚４が、連通する挿入孔２と貫通孔３とに挿入孔２側から挿入される。挿入孔２に埋設されたナット５に脚部４ａの外周のねじを螺合させ、支持脚４を頭部４ｂにおいて締め付け、ねじ込んで貫通孔３に挿入する。貫通孔３の孔径ｒは脚部４ａの外径Ｒより若干大きくされているので、支持脚４の挿入は容易である。また、支持脚４の挿入に先立って台板１が防音床２１に固定されることにより、挿入孔２と貫通孔３が位置ずれすることがなく、支持脚４の挿入が容易となる。支持脚４は、図３に示したように、脚部４ａの先端が基礎床２２に当接するまで挿入される。脚部４ａの長さは、挿入孔２と貫通孔３との合計の長さ分とされており、先端が基礎床２２に当接した時、支持脚４はナット５に螺着し、締め付けが完了する。支持脚４の頭部４ｂは台板１上に配置される。この状態において支持脚４は基礎床２２の上に安定に立設されるとともに、支持脚４は台板１に固定され、台板１を安定に支持する。このような支持脚４の基礎床２２上の立設および台板１の支持は、支持脚４とナット５との螺着によって容易に実現される。
【００２５】
図４および図５に示したように、支持脚４が基礎床２２上に立設され、台板１を支持した状態において、壁面収納体３１が台板１の上に設置される。側板３２を台板１の長手方向の左右両端部に載置して壁面収納体３１は台板１の上に設置される。壁面収納体３１の背板３３が壁４１に近接して配置される。壁面収納体３１の下端部に配設される地板３４は左右の側板３２間に架設されるが、一般に、側板３２の下端より若干上側に位置し、上げ底となっている。したがって、地板３４と台板１との間には隙間７が形成され、隙間７の内部に支持脚４の頭部４ｂは納まり、地板３４と干渉しない。また、地板３４にはその前端に幅木３５が取り付けられるので、支持脚４が露出することはなく、外観は良好となる。
【００２６】
なお、壁面収納体３１には、図６に示したように、地板３４を持たないものもある。このような地板３４なしの壁面収納体３１に対しては、支持脚４として、頭部４ｂが、たとえば皿ねじの頭部のように挿入孔２の内部に埋没するような形状を有するものを使用し、露出を極力抑えるようにすることができる。
【００２７】
以上の通りの実施形態によれば、図７に示したように、先端が基礎床２２に当接して支持脚４が基礎床２２上に立設されるとともに台板１を支持し、支持脚４により支持された台板１の上に壁面収納体３１が設置されるので、壁面収納体３１に質量の大きい物品Ｍが収納され、物品Ｍが壁面収納体３１の前側に収納されても、台板１が荷重を分散し、分散された荷重を支持脚４によって支えることができるため、クッション層２４の圧縮は起こらず、防音床２１の沈み込みを確実に防止することができる。図１０に示したような壁面収納体３１の前倒れは起こらない。壁面収納体３１は、図７に示したように、防音床２１に安定に設置される。また、台板１を防音床２１の上に載置し、台板１に形成された挿入孔２と挿入孔２に連通する防音床２１に形成された貫通孔３に支持脚４を台板１側から挿入することで、支持脚４が基礎床２２上に立設され、支持脚４により台板１が支持されるので、壁面収納体３１の防音床２１への安定な設置を容易に実現することができる。
【００２８】
なお、本発明の壁面収納体の設置構造においては、支持脚４の挿入孔２および貫通孔３への挿入は、台板１を固着具６によって防音床２１に固定し、固定された台板１の上に壁面収納体３１を載置した後に行うこともできる。図６に示した壁面収納体３１は地板３４を持たないので、壁面収納体３１の設置を先行して行っても支持脚４の挿入が可能で容易である。一方、図４および図５に示した地板３４が左右の側板３２の下端部に架設された壁面収納体３１の場合には、台板１の挿入孔２の直上に位置する地板３４に表裏を貫通する貫通孔を形成し、この貫通孔を通じて支持脚４を台板１の挿入孔２および防音床２１の貫通孔３に挿入するようにすることができる。いずれにしても、支持脚４は、基礎床２２上に立設し、台板１を支持することができる。壁面収納体３１に質量の大きい物品Ｍが収納されても、台板１を介して支持脚４によって荷重を支えることができる。クッション層２４の圧縮は起こらず、防音床２１の沈み込みを確実に防止することができる。壁面収納体３１の前倒れは起こらず、壁面収納体３１は安定に防音床２１に設置され、しかも壁面収納体３１の防音床２１への安定な設置が容易に実現される。
【００２９】
図８は、本発明の壁面収納体の設置構造の別の実施形態の要部を示した断面図である。
【００３０】
図８に示した実施形態は、支持脚４の脚部４ａが、先端が木ねじなどのように尖り、穿孔能力を有している。したがって、支持脚４の挿入に際して支持脚４をねじ込むことにより、台板１に挿入孔２を、防音床２１に貫通孔３を穿設することができる。台板１、防音床２１に前もって挿入孔２、貫通孔３を形成しておく必要がなく、支持脚４の挿入と同時に挿入孔２および貫通孔３を形成することができ、しかも支持脚４は台板１および防音床２１に螺着し、固定される。挿入孔２へのナット５の埋設も不要となる。支持脚４の基礎床２２上の立設および支持脚４による台板１の支持が一層容易となる。壁面収納体３１の防音床２１への安定な設置がさらに容易となる。この場合の支持脚４の頭部４ｂの形状は、特に制限されず、台板１の上に設置する壁面収納体３１の構造に応じて適宜なものとすることができる。台板１の表面において上方に突出するもの、皿ねじの頭部などのように挿入孔２の内部に埋没するものなどの各種のものとすることができる。
【図面の簡単な説明】
【００３１】
【図１】本発明の壁面収納体の設置構造の一実施形態の要部を示した一部切欠分解斜視図である。
【図２】図１に示した実施形態の要部分解断面図である。
【図３】図１に示した実施形態における支持脚の挿入状態を示した要部断面図である。
【図４】図１に示した実施形態における壁面収納体の設置状態を示した分解斜視図である。
【図５】図１に示した実施形態における壁面収納体の設置状態を示した断面図である。
【図６】壁面収納体の別の形態に対応した本発明の壁面収納体の設置構造の一実施形態を示した斜視図である。
【図７】図１に示した実施形態における壁面収納体の設置状態を示した断面図である。
【図８】本発明の壁面収納体の設置構造の別の実施形態の要部を示した断面図である。
【図９】防音床と防音床への壁面収納体の設置について示した一部切欠斜視図である。
【図１０】壁面収納体の前倒れについて示した断面図である。
【符号の説明】
【００３２】
１  台板
２  挿入孔
３  貫通孔
４  支持脚
５  ナット
２１  防音床
２２  基礎床
２４  クッション層
３１  壁面収納体
４１  壁
【図４】
2007330631.tif 000003
【図６】
2007330631.tif 000004
【図８】
2007330631.tif 000005
【図９】
2007330631.tif 000006
【図１０】
2007330631.tif 000007
【図１】
2007330631.tif 000008
【図２】
2007330631.tif 000009
【図３】
2007330631.tif 000010
【図５】
2007330631.tif 000011
【図７】
2007330631.tif 000012